(57)【要約】  本発明は、吊ボルト同士のピッチにかかわらず、吊ボルトと取付足とを固定することができる室内機及び室内機に設けられた取付足を提供するものである。  室内機は、複数の吊ボルトによって吊り下げられる室内機本体と、室内機本体に水平方向にスライド自在に取り付けられ、吊ボルトが挿入される切欠き穴が形成され、複数の吊ボルト毎に設けられた複数の取付足と、を備える。
2019155549.tif 000002
【特許請求の範囲】
【請求項１】
複数の吊ボルトによって吊り下げられる室内機本体と、  前記室内機本体に水平方向にスライド自在に取り付けられ、前記吊ボルトが挿入される切欠き穴が形成され、複数の前記吊ボルト毎に設けられた複数の取付足と、  を備える室内機。
【請求項２】
前記取付足は、  前記切欠き穴が形成された本体部と、  前記本体部から垂直に延び、前記室内機本体の側面に接触し、ネジが挿入されるネジ穴が形成されたフランジと、を有し、  前記室内機本体の側面には、前記ネジが挿入されるガイド部が形成されており、  前記ネジ穴と前記ガイド部に前記ネジが挿入されて螺合されることによって、前記取付足が前記室内機本体の側面に固定される  請求項１記載の室内機。
【請求項３】
前記ガイド部は、水平方向に延びるように切り欠かれている  請求項２記載の室内機。
【請求項４】
前記ネジ穴は、水平方向に延びるように切り欠かれている  請求項２又は３記載の室内機。
【請求項５】
前記フランジは、  前記本体部の上方に延びる上方フランジ部と、  前記本体部の下方に延びる下方フランジ部と、を有し、  前記上方フランジ部及び前記下方フランジ部には、前記ネジ穴が形成されている  請求項２〜４のいずれか１項に記載の室内機。
【請求項６】
前記切欠き穴は、水平方向に延びており、前記吊ボルトが挿入された状態でスライド自在となっている  請求項１〜５のいずれか１項に記載の室内機。
【請求項７】
前記切欠き穴は、  一部の幅が他部の幅よりも広い  請求項６記載の室内機。
【請求項８】
複数の吊ボルトによって吊り下げられる室内機本体に、水平方向にスライド自在に取り付けられ、前記吊ボルトが挿入される切欠き穴が形成され、複数の前記吊ボルト毎に設けられた複数の取付足であって、  前記切欠き穴が形成された本体部と、  前記本体部から垂直に延び、前記室内機本体の側面に接触し、ネジが挿入されるネジ穴が形成されたフランジと、を有し、  前記室内機本体の側面には、前記ネジが挿入されるガイド部が形成されており、  前記ネジ穴と前記ガイド部に前記ネジが挿入されて螺合されることによって、前記室内機本体の側面に固定される  取付足。
【発明の詳細な説明】
【技術分野】
【０００１】  本発明は、天井から吊り下げられる室内機及び室内機に設けられた取付足に関する。
【背景技術】
【０００２】  従来、室内機が天井から吊り下げられる空気調和機が知られている。室内機は、建築物等の天井に設置された吊ボルトに取り付けられる取付足を有し、ナット等によって固定して、天井裏空間等に据え付けられる。特許文献１には、取付足を上下方向に調整可能な空気調和機が提案されている。また、特許文献２には、取付足が水平方向に調整可能な空気調和機が開示されている。
【先行技術文献】
【特許文献】
【０００３】
【特許文献１】特開平０８−２００７９７号公報
【特許文献２】実開平０１−１５３４２１号公報
【発明の概要】
【発明が解決しようとする課題】
【０００４】  室内機が据え付けられる際、設置された室内機と、室内機が天井裏空間に挿入される天井開口穴との位置が合わない場合がある。この場合、室内機と天井開口穴との隙間が狭いため、天井開口穴を塞ぐパネルが嵌まり難く、設置し難い。この状態でパネルが強引に設置されようとすると、室内機及びパネルに外力がかかり、異音が発生する要因となる。また、パネルが設置できない場合、天井開口穴を広げる調整又は吊ボルト自体の位置調整が必要となる。天井開口穴を広げる調整又は吊ボルト自体の位置調整はコストが多大であるため、室内機側で位置を調整することが提案されている。特許文献１には、取付足を上下方向に調整可能な空気調和機が提案されているが、特許文献１の取付足は、上下方向にのみ調整可能であり、水平方向に調整することはできない。また、特許文献２に開示された空気調和機は、２個の吊ボルトを１個の取付足に固定するため、吊ボルト同士のピッチと、取付足に形成された吊ボルトが挿入される切欠き穴のピッチとが異なる場合、吊ボルトと取付足とを固定することができない。【０００５】  本発明は、上記のような課題を解決するためになされたもので、吊ボルト同士のピッチにかかわらず、吊ボルトと取付足とを固定することができる室内機及び室内機に設けられた取付足を提供するものである。
【課題を解決するための手段】
【０００６】  本発明に係る室内機は、複数の吊ボルトによって吊り下げられる室内機本体と、室内機本体に水平方向にスライド自在に取り付けられ、吊ボルトが挿入される切欠き穴が形成され、複数の吊ボルト毎に設けられた複数の取付足と、を備える。
【発明の効果】
【０００７】  本発明によれば、切欠き穴が形成された取付足が、吊ボルト毎に設けられている。このため、取付足は、それぞれ個別に水平方向にスライドすることができる。従って、複数の吊ボルトがいずれのピッチで設置されていても、吊ボルトの位置に取付足を移動することができる。このように、吊ボルト同士のピッチにかかわらず、吊ボルトと取付足とを固定することができる。
【図面の簡単な説明】
【０００８】
【図１】本発明の実施の形態１に係る室内機１を示す斜視図である。
【図２】本発明の実施の形態１に係る室内機１を示す側面図である。
【図３】本発明の実施の形態１に係る室内機本体２及び取付足３を示す斜視図である。
【図４】本発明の実施の形態１に係る取付足３を示す斜視図である。
【図５】本発明の実施の形態１に係る室内機本体２が、吊ボルト５が適正位置の場合に据え付けたられた上面図である。
【図６】本発明の実施の形態１に係る室内機本体２が、吊ボルト５の位置がずれている場合に据え付けられた上面図である。
【図７】本発明の実施の形態１に係る室内機本体２が、図５と異なるように吊ボルト５の位置がずれている場合に据え付けられた上面図である。
【図８】本発明の実施の形態２に係る取付足１０３を示す斜視図である。
【図９】本発明の実施の形態３に係る取付足２０３を示す斜視図である。
【発明を実施するための形態】
【０００９】実施の形態１．  以下、本発明に係る室内機の実施の形態について、図面を参照しながら説明する。図１は、本発明の実施の形態１に係る室内機１を示す斜視図であり、図２は、本発明の実施の形態１に係る室内機１を示す側面図である。図１及び図２に示すように、空気調和機の室内機１は、建物４の室内の空気を調整する室内機本体２と、室内機本体２を天井６に据え付ける複数の取付足３とを備えている。
【００１０】  室内機本体２は、建物４の天井６と天井ベース７との間の天井裏空間８に設けられている。室内機本体２は、天井６に形成された天井開口穴６ａに挿入されて、天井裏空間８に配置される。天井開口穴６ａは、パネル９によって塞がれる。建物４の天井ベース７からは、複数の吊ボルト５が吊り下げられており、室内機本体２は、複数の吊ボルト５によって天井ベース７から吊り下げられている。本実施の形態１では、吊ボルト５が４本の場合について例示している。室内機本体２には、冷媒配管１０等が取り付けられている。
【００１１】  図３は、本発明の実施の形態１に係る室内機本体２及び取付足３を示す斜視図である。図３に示すように、室内機本体２の側面２ａには、取付足３を取り付けるネジ１１が挿入されるガイド部２０が形成されている。ガイド部２０は、水平方向に延びるように切り欠かれており、取付足３のネジ穴３８とガイド部２０とにネジ１１が挿入されて螺合されることによって、取付足３が室内機本体２の側面２ａに固定される。ここで、ガイド部２０は、取付足３が挿入される中央ガイド２１と、中央ガイド２１よりも上方に形成された上方ガイド２２と、中央ガイド２１よりも下方に形成された下方ガイド２３とからなる。本実施の形態１では、上方ガイド２２及び下方ガイド２３のいずれにもネジ１１が挿入される。
【００１２】  図４は、本発明の実施の形態１に係る取付足３を示す斜視図である。図４に示すように、取付足３は、複数の吊ボルト５毎に設けられており、本実施の形態１では、４本の吊ボルト５にそれぞれ４つの取付足３が対応する。切欠き穴３１が形成された本体部３０と、本体部３０から垂直に延びるフランジ３５とを有している。本体部３０は、フランジ３５が設けられる基端側と反対側の先端側が折り曲げられている。切欠き穴３１は、本体部３０の基端側から先端側まで水平方向に延びており、先端側が貫通している。これにより、切欠き穴３１に吊ボルト５が挿入された状態で、室内機本体２の長手方向にスライド自在となっている。また、切欠き穴３１は、一部の幅が他部の幅よりも広い。これにより、幅が広い幅広部３２に吊ボルト５を挿入し易くしている。
【００１３】  フランジ３５は、室内機本体２の側面２ａに接触し、ネジ１１が挿入されるネジ穴３８が形成されている。ネジ穴３８は、水平方向に延びるように切り欠かれている。フランジ３５は、本体部３０の上方に延びる上方フランジ部３６と、本体部３０の下方に延びる下方フランジ部３７とを有している。上方フランジ部３６及び下方フランジ部３７のいずれにもネジ穴３８が形成されている。取付足３は、室内機本体２の内部から中央ガイド２１を通って、本体部３０が室内機本体２の外部に露出し、フランジ３５が室内機本体２の内面に接触する。この状態で、上方フランジ部３６のネジ穴３８及び上方ガイド２２にネジ１１が挿入され、下方フランジ部３７のネジ穴３８及び下方ガイド２３にネジ１１が挿入されて螺合されることにより、取付足３が室内機本体２に固定される。
【００１４】  本実施の形態１では、取付足３が上下の２本のネジ１１で固定されているため、固定強度を向上させることができる。ネジ１１を緩めることによって、取付足３の本体部３０は、中央ガイド２１をスライドすることができる。また、ネジ１１は、上方ガイド２２及び下方ガイド２３の範囲内で自由な位置で固定することができる。即ち、取付足３は、室内機本体２の短手方向において水平にスライド自在となっている。このように、取付足３は、室内機本体２に、所定の初期位置から水平方向にスライド自在に取り付けられている。
【００１５】  前述の如く、取付足３は、複数の吊ボルト５毎に設けられているため、それぞれの吊ボルト５の位置に合わせて、それぞれの取付足３を個別にスライドすることができる。
【００１６】  図５は、本発明の実施の形態１に係る室内機本体２が、吊ボルト５が適正位置の場合に据え付けたられた上面図である。図５では、吊ボルト５の位置が、室内機本体２における取付足３の初期位置と一致している。即ち、室内機本体２の短手方向の２つの吊ボルト５のピッチと、２つの取付足３の初期位置のピッチとが一致している。図５に示すように、吊ボルト５が適正位置の場合、取付足３をスライドすることなく、各取付足３と各吊ボルト５とを固定することができる。
【００１７】  図６は、本発明の実施の形態１に係る室内機本体２が、吊ボルト５の位置がずれている場合に据え付けられた上面図である。図６では、吊ボルト５の位置が、室内機本体２の一側方において取付足３の初期位置（破線で囲まれた部分）とずれている。即ち、室内機本体２の一側方において、室内機本体２の短手方向の２つの吊ボルト５のピッチと、２つの取付足３の初期位置のピッチとが相違している。図６に示すように、室内機本体２の一側方における２つの取付足３が、初期位置から互いに離れるようにスライドすることによって、２つの取付足３と、それぞれに対応する吊ボルト５とを固定することができる。
【００１８】  図７は、本発明の実施の形態１に係る室内機本体２が、吊ボルト５の位置がずれている場合に据え付けられた上面図である。図７では、吊ボルト５の位置が、室内機本体２の両側方において取付足３の初期位置（破線で囲まれた部分）とずれている。即ち、室内機本体２の両側方において、室内機本体２の短手方向の２つの吊ボルト５のピッチと、２つの取付足３の初期位置のピッチとが相違している。図７に示すように、室内機本体２の両側方における２つの取付足３が、初期位置から互いに離れるようにスライドすることによって、２つの取付足３と、それぞれに対応する吊ボルト５とを固定することができる。
【００１９】  本実施の形態１によれば、切欠き穴３１が形成された取付足３が、吊ボルト５毎に設けられている。このため、取付足３は、それぞれ個別に水平方向にスライドすることができる。従って、複数の吊ボルト５がいずれのピッチで設置されていても、吊ボルト５の位置に取付足３を移動することができる。このように、吊ボルト５同士のピッチにかかわらず、吊ボルト５と取付足３とを固定することができる。従来、２本の吊ボルト５に固定する１つの取付足３が知られているが、本実施の形態１は、１本の吊ボルト５に１つの取付足３が対応している。このように、それぞれの取付足３は繋がっておらず、それぞれが独立している。
【００２０】  従来、設置された室内機と、室内機が天井裏空間に挿入される天井開口穴との位置が合わない場合がある。この場合、室内機と天井開口穴との隙間が狭いため、天井開口穴を塞ぐパネルが嵌まり難く、設置し難い。この状態でパネルが強引に設置されようとすると、室内機及びパネルに外力がかかり、異音が発生する要因となる。また、天井開口穴の拡大及び吊ボルト自体の位置調整が必要となり、据え付け作業の負荷が増大する。これに対し、本実施の形態１は、設置された室内機本体２と天井開口穴６ａとの位置が合わず、パネル９を嵌めこむ隙間が狭くても、取付足３をそれぞれ個別に室内機本体２の短手方向にスライドすることができる。これにより、天井開口穴６ａと室内機本体２との位置が一致する。従って、室内機本体２の据え付け性を向上させることができる。また、室内機本体２及びパネル９に外力がかかり難いため、異音を低減して品質を向上させることができる。
【００２１】実施の形態２．  図８は、本発明の実施の形態２に係る取付足１０３を示す斜視図である。本実施の形態２は、フランジ１３５が上方フランジ部１３６のみを有する点で、実施の形態１と相違する。本実施の形態２では、実施の形態１と同一の部分は同一の符号を付して説明を省略し、実施の形態１との相違点を中心に説明する。
【００２２】  図８に示すように、取付足１０３のフランジ１３５は、上方フランジ部１３６のみを有し、下方フランジ部３７を有しない。この場合、室内機本体２における下方ガイド２３を省略することができる。上方フランジ部１３６のネジ穴３８及び上方ガイド２２にネジ１１が挿入されて螺合されることにより、取付足３が室内機本体２に固定される。本実施の形態２のように、下方フランジ部３７を省略して、取付足３の構造を簡略化することもできる。
【００２３】実施の形態３．  図９は、本発明の実施の形態３に係る取付足２０３を示す斜視図である。本実施の形態３は、上方フランジ部３６及び下方フランジ部３７に丸型のネジ穴２３８が形成されている点で、実施の形態１と相違する。本実施の形態３では、実施の形態１と同一の部分は同一の符号を付して説明を省略し、実施の形態１との相違点を中心に説明する。
【００２４】  図９に示すように、上方フランジ部３６及び下方フランジ部３７に形成されたネジ穴２３８は、水平方向に延びておらず丸型である。このように、ネジ穴２３８が丸型であっても、室内機本体２のガイド部２０が水平方向に延びていれば、取付足２０３をスライドさせた後に室内機本体２にネジ１１で固定することができる。なお、フランジ３５のネジ穴３８が水平方向に延びている場合、室内機本体２の上方ガイド２２及び下方ガイド２３は丸型であってもよい。ネジ穴３８と上方ガイド２２及び下方ガイド２３のいずれか一方が、水平方向に延びていれば、取付足３をスライドすることができる。
【符号の説明】
【００２５】  １  室内機、２  室内機本体、２ａ  側面、３  取付足、４  建物、５  吊ボルト、６  天井、６ａ  天井開口穴、７  天井ベース、８  天井裏空間、９  パネル、１０  冷媒配管、１１  ネジ、２０  ガイド部、２１  中央ガイド、２２  上方ガイド、２３  下方ガイド、３０  本体部、３１  切欠き穴、３２  幅広部、３５  フランジ、３６  上方フランジ部、３７  下方フランジ部、３８  ネジ穴、１０３  取付足、１３５  フランジ、１３６  上方フランジ、２０３  取付足、２３８  ネジ穴。
【図１】
2019155549.tif 000003
【図２】
2019155549.tif 000004
【図３】
2019155549.tif 000005
【図４】
2019155549.tif 000006
【図５】
2019155549.tif 000007
【図６】
2019155549.tif 000008
【図７】
2019155549.tif 000009
【図８】
2019155549.tif 000010
【図９】
2019155549.tif 000011
【手続補正書】
【提出日】令和2年5月12日(2020.5.12)
【手続補正１】
【補正対象書類名】明細書
【補正対象項目名】０００６
【補正方法】変更
【補正の内容】
【０００６】
本発明に係る室内機は、複数の吊ボルトによって吊り下げられる室内機本体と、室内機本体に水平方向にスライド自在に取り付けられ、吊ボルトが挿入される切欠き穴が形成され、複数の吊ボルト毎に設けられた複数の取付足と、を備え、取付足は、切欠き穴が形成された本体部と、本体部から垂直に延び、室内機本体の側面に接触し、ネジが挿入されるネジ穴が形成されたフランジと、を有し、室内機本体の側面には、ネジが挿入されるガイド部が形成されており、フランジは、本体部の上方に延びる上方フランジ部と、本体部の下方に延びる下方フランジ部と、を有し、上方フランジ部及び下方フランジ部には、ネジ穴が形成され、ネジ穴とガイド部にネジが挿入されて螺合されることによって、取付足が室内機本体の側面に固定される。
【手続補正２】
【補正対象書類名】特許請求の範囲
【補正対象項目名】全文
【補正方法】変更
【補正の内容】
【特許請求の範囲】
【請求項１】
複数の吊ボルトによって吊り下げられる室内機本体と、
前記室内機本体に水平方向にスライド自在に取り付けられ、前記吊ボルトが挿入される切欠き穴が形成され、複数の前記吊ボルト毎に設けられた複数の取付足と、を備え、
前記取付足は、
前記切欠き穴が形成された本体部と、
前記本体部から垂直に延び、前記室内機本体の側面に接触し、ネジが挿入されるネジ穴が形成されたフランジと、を有し、
前記室内機本体の側面には、前記ネジが挿入されるガイド部が形成されており、
前記フランジは、
前記本体部の上方に延びる上方フランジ部と、
前記本体部の下方に延びる下方フランジ部と、を有し、
前記上方フランジ部及び前記下方フランジ部には、前記ネジ穴が形成され、
前記ネジ穴と前記ガイド部に前記ネジが挿入されて螺合されることによって、前記取付足が前記室内機本体の側面に固定される
室内機。
【請求項２】
前記ガイド部は、水平方向に延びるように切り欠かれている
請求項１記載の室内機。
【請求項３】
前記ネジ穴は、水平方向に延びるように切り欠かれている
請求項１又は２記載の室内機。
【請求項４】
前記切欠き穴は、水平方向に延びており、前記吊ボルトが挿入された状態でスライド自在となっている
請求項１〜３のいずれか１項に記載の室内機。
【請求項５】
前記切欠き穴は、
一部の幅が他部の幅よりも広い
請求項４記載の室内機。
【請求項６】
複数の吊ボルトによって吊り下げられる室内機本体に、水平方向にスライド自在に取り付けられ、前記吊ボルトが挿入される切欠き穴が形成され、複数の前記吊ボルト毎に設けられた複数の取付足であって、
前記切欠き穴が形成された本体部と、
前記本体部から垂直に延び、前記室内機本体の側面に接触し、ネジが挿入されるネジ穴が形成されたフランジと、を有し、
前記フランジは、
前記本体部の上方に延びる上方フランジ部と、
前記本体部の下方に延びる下方フランジ部と、を有し、
前記上方フランジ部及び前記下方フランジ部には、前記ネジ穴が形成されており、
前記室内機本体の側面のガイド部と前記ネジ穴に前記ネジが挿入されて螺合されることによって、前記室内機本体の側面に固定される
取付足。
【国際調査報告】
2019155549.tif 000012
2019155549.tif 000013
2019155549.tif 000014
2019155549.tif 000015